(57)【要約】【課題】従来のオンラインショッピングの方法では、インターネットホームページ上の仮想店舗で管理している商品しか購入できず、実際に販売店に展示してある商品の購入は出来なかったし、またその購入方法も実際の買い物とは異なりその操作が難しくインターネットに不慣れな人にとっては利用するのが困難であった。しかし販売店に行かずに、販売店に展示している商品の購入をモニターで確認しインターネットを通じて簡単に購入するシステムの構築。【解決手段】インターネットを利用し、パソコンや携帯電話等の映像受信可能な送受信機から双方向通話可能な軽量携帯ビデオカメラ又はテレビカメラユニットとワイヤレスＬＡＮ　用送受信ユニット装着のオペレーターに音声でオペレーターの動きを指示し、モニターの画像はオペレーターが見ている対象物がほぼ同じようになっているので、動きの指示がオペレーター、使用者共に解かり易く、その操作が楽に行え、商品の購入を行うことができるシステム。【選択図】　　　　図１
2004145778.tif 000002
【特許請求の範囲】
【請求項１】
インターネットを利用し、パソコンや携帯電話等の映像受信可能な送受信機から、店舗に設置してあるワイヤレスＬＡＮに接続された双方向通話可能な軽量携帯ビデオカメラ又はテレビカメラユニット装着のオペレーターに、音声又は文字情報で当該オペレーターの位置を指示し、移動させその様子を当該ビデオカメラ又はテレビカメラから送られてくる映像を見ながらコントロールし、店舗に行かずに店舗に展示してある商品を購入できるシステム。
【請求項２】
インターネットのウエッブサイトからアクセスでき、且つ、ショッピングの状況をモニターできる請求項第１項記載のシステム。
【請求項３】
オペレーターの目の位置に双方向通話可能な軽量携帯ビデオカメラ又はテレビカメラを設置し、モニターの画像とオペレーターが見ている対象物がほぼ同じようになっていて、動きの指示がオペレーター、使用者共に解かり易く、当該ユニットのマイクを通じて販売員と会話が出来る請求項第１項記載のシステム。
【請求項４】
インターネットのウエッブサイト上でオペレーターとの接続状況を知ることができ、またその接続使用の予約ができる請求項第１項記載のシステム。
【発明の詳細な説明】
【０００１】
【発明が属する技術分野】本発明は、インターネットを利用して実際の販売店でオンラインショッピングする方式に関する。
【０００２】
【従来の技術】店舗に行かずに、商品購入する場合はインターネットホームページ上の仮想店舗から商品購入する方法が一般的であり、実際の店舗からの商品購入は電話で連絡をし、音声による説明で購入の判断するのが一般的である。
【０００３】
携帯電話が買い手と売り手にあれば、静止画又は動画等を電話で送ることも出来るが、画像の解像度はあまり鮮明とはいえないし、時間もかかりまた、遠方にある店舗に電話した場合は電話料金も嵩むし、接続状態も、電話番号での接続であるため混雑等が起き不通になることも予想される。
【０００４】
店舗内にビデオカメラなどを設置しインターネットを通じて本発明と同じように商品を見ながら購入できるシステムなどが考えられているが、その操作は煩雑で難しく又その反応も遅くなると考えられ、将来ロボット等にビデオカメラなど装着しても、その導入価格、使いやすさにおいて難がある。
【０００５】
【発明が解決しようとする課題】
解決しようとする問題点は、従来のオンラインショッピングの方法では、インターネットホームページ上の仮想店舗で管理している商品しか購入できず、実際に販売店に展示してある商品の購入は出来なかったし、またその購入方法も実際の買い物とは異なりその操作が難しくインターネットに不慣れな人にとっては利用するのが困難であった。
【０００６】
又，　買い手と売り手が携帯電話を使用して商品の撮影映像を送りながら商品販売を行う場合でも、直接その電話番号に電話することになるため接続状態に問題があり、またその接続料金も遠隔地であればあるほど高くなる。
【０００７】
【課題を解決するための手段】
本発明はインターネットの販売店のウエッブサイトから、パソコンや携帯電話等の映像受信可能な送受信機を通じて、ウエッブサイトに接続されたワイヤレスＬＡＮを販売店に構築し、そのワイヤレスＬＡＮ経由でオペレーター装着の双方向通話可能な軽量携帯ビデオカメラユニットを繋ぎ、音声又は文字情報で当該オペレーターに当該オペレーターの動作を指示し、その動作状況はオペレーターの目線位置に取り付けられたビデオカメラ又はテレビカメラからのモニター画像で商品を見たり、又販売員と当該ユニットのマイクを通じて会話したりして商品購入することが出来るシステムを構築する。
【０００８】
【発明の実施の形態】
このシステムはインターネット上に販売店のウエッブサイトを設け、このサイト上に双方向通話可能な軽量携帯ビデオカメラ又はテレビカメラユニットとワイヤレスＬＡＮ　用送受信ユニットを装着したオペレーターに音声又は文字情報でその動きを指示し、実際に展示してある商品をビデオカメラ又はテレビカメラからの映像をモニター画面で見ながら商品を購入できる環境を作る。
【０００９】
上記ウエッブサイトにオペレーター装着の双方向通話可能な軽量携帯ビデオカメラ又はテレビカメラとワイヤレスＬＡＮ　用送受信ユニットのアイコン等の表示を行い、そのアイコンをクリック又は接続を意味する選択をすれば、画面操作で上記オペレーターに接続が出来るようにする。
【００１０】
この画面操作で接続された上記オペレーターには一度に一つの接続のみ許され、上記アイコン等は既に接続が行われている時はクリック又は接続を意味する選択をしても接続されず、現在使用されている接続が完了した時点で次の利用が可能となる仕組みである。
【００１１】
接続がなされたら、パソコンや携帯電話等の映像受信可能な送受信機から音声又はキーボードによる文字情報で購入希望の商品のある位置又は場所を上記オペレーターに指示し、上記オペレーターを目的地まで動かし、希望の商品をモニター画面で見ながら、必要に応じて販売員と直接、オペレーター装着のマイクを通じて会話を行い、販売店に行って購入する通常の買い物と同じ要領で商品の購入が、遠隔地から行えるような環境を提供する。
【００１２】
【実施例】
次に、添付図面に基づいて本発明であるインターネットからワイヤレスＬＡＮとオペレーター装着の双方向の通話が出来る軽量携帯ビデオカメラ又はテレビカメラユニットを利用したインターネット接続システムについて詳細に説明する。図１に、本発明の全体図を示す。
【００１３】
図１において、１はパソコンや携帯電話等の映像受信可能な送受信機、２はインターネットでこの上に販売店のウエッブサイトを設ける、３は店舗に設置されたＬＡＮで、４のオペレーター装着の双方向通話可能な軽量携帯ビデオカメラ又はテレビカメラユニットとワイヤレスＬＡＮ
用送受信とワイヤレスで結ばれている。
【００１４】
販売店のウエッブサイトには、設置しているオペレーター装着の双方向の通話可能な軽量携帯ビデオカメラ又はテレビカメラユニット数のアイコンを表示している。
このアイコンは一度に一つの接続しかできない。
【００１５】
このシステムの利用者はまず、１のパソコンや携帯電話等の映像受信可能な送受信機を使いインターネットの販売店のウエッブサイトにアクセスし、
利用可能なアイコンを探しクリックして、オペレーター装着の双方向通話可能な軽量携帯ビデオカメラ又はテレビカメラユニットに接続する。
【００１６】
接続されると利用者はオペレーターと双方向の通話とビデオカメラ又はテレビカメラユニットからの映像を利用者の受信機画面で見ることが可能となり、その映像は図２の装着図のようにオペレーターの目線にビデオカメラ又はテレビカメラがあるので、そのカメラコントロールは初めて利用する人にも容易に音声で、指示することが出来る。
【００１７】
商品の購入は、図２の４２のマイクを通じて売り場の販売店員の声を聞くことが出来るので、その場での現金支払い以外、購入方法は通常の購入と同じように出来る。
【００１８】
接続を終了する場合は画面上の上にある終了ボタンをクリック又は終了を意味する選択をすれば、元の販売店のウエッブサイトに戻ることが出来、後は通常のインターネットの使用方法と同じである。
【００１９】
【発明の効果】
以上説明したように本発明のシステムは自宅やオフィスといった、店舗から離れた場所や、混雑している店舗から離れた店舗内の待合室のような場所から、誰でも口頭でそのカメラワークを、カメラを装着したオペレーターに告げることにより簡単に操作し、実際の展示商品を購入することが出来る機能を持つため、今まで色々な事情で売り場に買い物に行けなかった人たちに安心して売り場の商品を買うことが出来る環境を提供するものである。
【図面の簡単な説明】
【図１】本発明のシステムの全体図である。
【図２】オペレーター装着の双方向通話可能な軽量携帯ビデオカメラ又はテレビカメラとワイヤレスＬＡＮ　用送受信ユニット及びその装着を示した図である。
【符号の説明】
１　　パソコンや携帯電話等の映像受信可能な送受信機
２　　インターネット
３　　店舗に設置されたＬＡＮ
４　　オペレーター装着の双方向通話可能な軽量携帯ビデオカメラ又はテレビカメラとワイヤレスＬＡＮ　用送受信ユニット
４１　ビデオカメラ又はテレビカメラ
４２　マイク
４３　イヤーフォン
４４　ワイヤレスＬＡＮ用送受信機
４５　ヘッドアッタチメント
【図１】
2004145778.tif 000003
【図２】
2004145778.tif 000004